(57)【要約】  マクロ基地局ネットワークからフェムトセルネットワークへのアクティブハンドインを可能にするための方法は、フェムトセルネットワークの第１のフェムトセルを使用して、マクロ基地局からフェムトセルネットワークへのモバイルエンティティのアクティブハンドインをサービスすることを含む。アクティブハンドインは、フェムトセルネットワーク中の第１のフェムトセルと１つまたは複数の隣接フェムトセルとの間で可能にされたモバイルエンティティのソフトハンドオフを用いた、マクロ基地局からのモバイルエンティティのハードハンドオフを含む。可能にされたソフトハンドオフを用いたハードハンドオフは、フェムトセルとマクロ基地局とを含むワイヤレス通信ネットワークの１つまたは複数のエンティティによって実装される新規のプロシージャを使用して実装され得る。
2013542673.tif 000002
【特許請求の範囲】
【請求項１】
下記を備える、マクロ基地局ネットワークからフェムトセルネットワークへのアクティブハンドインを可能にするための方法、
フェムトセルネットワークの第１のフェムトセルを使用して、マクロ基地局から前記フェムトセルネットワークへのモバイルエンティティのアクティブハンドインをサービスすることと、
前記アクティブハンドインのために、前記マクロ基地局からの前記モバイルエンティティのハードハンドオフとともに、前記フェムトセルネットワーク中の前記第１のフェムトセルと１つまたは複数の隣接フェムトセルとの間での前記モバイルエンティティのソフトハンドオフを可能にすること。
【請求項２】
前記第１のフェムトセルにおいて、前記第１のフェムトセルへのハードハンドオフを開始するために、トラフィックチャネルリソースを前記モバイルエンティティに割り当てるようにネットワークエンティティから要求を受信することをさらに備える、請求項１に記載の方法。
【請求項３】
前記要求に応答して、前記１つまたは複数の隣接フェムトセルからトラフィックチャネルリソースの割当てを要求することをさらに備える、請求項２に記載の方法。
【請求項４】
前記要求に返答して、前記第１のフェムトセルと前記１つまたは複数の隣接フェムトセルとの各々についての別個の識別子を含む第１の識別子と、前記第１のフェムトセルの前記トラフィックチャネルリソースと前記１つまたは複数の隣接フェムトセルから要求された前記トラフィックチャネルリソースとの各々についての別個の識別子を含む第２の識別子とをシグナリングすることをさらに備える、請求項３に記載の方法。
【請求項５】
前記第１のフェムトセルにおいて前記フェムトセルネットワークのフェムトセルからの信号に基づく選択プロシージャを使用して、前記フェムトセルの前記１つまたは複数の隣接フェムトセルを識別することをさらに備える、請求項１に記載の方法。
【請求項６】
別個のエンティティによって提供されるネイバーの定義されたセットを使用して、前記第１のフェムトセルの前記１つまたは複数の隣接フェムトセルを識別することをさらに備える、請求項１に記載の方法。
【請求項７】
共通の時間基準を使用して前記フェムトセルネットワークのフェムトセルの間でビーコンホッピングパターンを同期させることであって、それにより、前記フェムトセルが、同期をとった時間において共通の順方向リンク周波数上で周波数ホッピングビーコンを送信する、同期させることをさらに備える、請求項１に記載の方法。
【請求項８】
前記モバイルエンティティによって生成された前記周波数ホッピングビーコンの測定値に基づいて前記第１のフェムトセルを選択することをさらに備える、請求項８に記載の方法。
【請求項９】
前記ネットワークエンティティが、前記モバイルエンティティからの逆方向リンク信号の信号強度を検出するように前記フェムトセルネットワークのすべてのフェムトセルに要求することをさらに備える、請求項１に記載の方法。
【請求項１０】
前記すべてのフェムトセルによって提供される信号強度測定値に基づいて前記第１のフェムトセルを選択することをさらに備える、請求項９に記載の方法。
【請求項１１】
マクロ基地局ネットワークからフェムトセルネットワークへのアクティブハンドインを可能にするための装置であって、前記装置は下記を備える、
フェムトセルネットワークの第１のフェムトセルを使用して、マクロ基地局から前記フェムトセルネットワークへのモバイルエンティティのアクティブハンドインをサービスするための手段と、
前記アクティブハンドインのために、前記マクロ基地局からの前記モバイルエンティティのハードハンドオフとともに、前記フェムトセルネットワーク中の前記第１のフェムトセルと１つまたは複数の隣接フェムトセルとの間での前記モバイルエンティティのソフトハンドオフを可能にするための手段。
【請求項１２】
下記を備える、マクロ基地局ネットワークからフェムトセルネットワークへのアクティブハンドインを可能にするための装置、
フェムトセルネットワークの第１のフェムトセルを使用して、マクロ基地局から前記フェムトセルネットワークへのモバイルエンティティのアクティブハンドインをサービスすることと、前記アクティブハンドインのために、前記マクロ基地局からの前記モバイルエンティティのハードハンドオフとともに、前記フェムトセルネットワーク中の前記第１のフェムトセルと１つまたは複数の隣接フェムトセルとの間での前記モバイルエンティティのソフトハンドオフを可能にすることとを行うように構成された少なくとも１つのプロセッサと、
前記少なくとも１つのプロセッサに結合された、データを記憶するためのメモリ。
【請求項１３】
前記プロセッサが、前記第１のフェムトセルにおいて、前記第１のフェムトセルへのハードハンドオフを開始するために、トラフィックチャネルリソースを前記モバイルエンティティに割り当てるようにネットワークエンティティから要求を受信するようにさらに構成された、請求項１２に記載の装置。
【請求項１４】
前記プロセッサが、前記要求に応答して、前記１つまたは複数の隣接フェムトセルからトラフィックチャネルリソースの割当てを要求するようにさらに構成された、請求項１３に記載の装置。
【請求項１５】
前記プロセッサが、前記要求に返答して、前記第１のフェムトセルと前記１つまたは複数の隣接フェムトセルとの各々についての別個の識別子を含む第１の識別子と、前記第１のフェムトセルの前記トラフィックチャネルリソースと前記１つまたは複数の隣接フェムトセルから要求された前記トラフィックチャネルリソースとの各々についての別個の識別子を含む第２の識別子とをシグナリングするようにさらに構成された、請求項１４に記載の装置。
【請求項１６】
前記プロセッサが、前記第１のフェムトセルにおいて前記フェムトセルネットワークのフェムトセルからの信号に基づく選択プロシージャを使用して、前記フェムトセルの前記１つまたは複数の隣接フェムトセルを識別するようにさらに構成された、請求項１２に記載の装置。
【請求項１７】
前記プロセッサが、別個のエンティティによって提供されるネイバーの定義されたセットを使用して、前記第１のフェムトセルの前記１つまたは複数の隣接フェムトセルを識別するようにさらに構成された、請求項１２に記載の装置。
【請求項１８】
前記プロセッサが、共通の時間基準を使用して前記フェムトセルネットワークのフェムトセルの間でビーコンホッピングパターンを同期させることであって、それにより、前記フェムトセルが、同期をとった時間において共通の順方向リンク周波数上で周波数ホッピングビーコンを送信する、同期させることを行うようにさらに構成された、請求項１２に記載の装置。
【請求項１９】
前記プロセッサが、前記モバイルエンティティによって生成された前記周波数ホッピングビーコンの測定値に基づいて前記第１のフェムトセルを選択するようにさらに構成された、請求項１８に記載の装置。
【請求項２０】
前記プロセッサが、前記モバイルエンティティからの逆方向リンク信号の信号強度を検出するように前記フェムトセルネットワークのすべてのフェムトセルに要求するようにさらに構成された、請求項１２に記載の装置。
【請求項２１】
前記プロセッサが、前記すべてのフェムトセルによって提供される信号強度測定値に基づいて前記第１のフェムトセルを選択するようにさらに構成された、請求項２０に記載の装置。
【請求項２２】
下記を備える、マクロ基地局ネットワークからフェムトセルネットワークへのアクティブハンドインを可能にするためのコンピュータプログラム製品、
フェムトセルネットワークの第１のフェムトセルを使用して、マクロ基地局から前記フェムトセルネットワークへのモバイルエンティティのアクティブハンドインをサービスすることと、前記アクティブハンドインのために、前記マクロ基地局からの前記モバイルエンティティのハードハンドオフとともに、前記フェムトセルネットワーク中の前記第１のフェムトセルと１つまたは複数の隣接フェムトセルとの間での前記モバイルエンティティのソフトハンドオフを可能にすることとを行うためのコードを備えるコンピュータ可読媒体。
【請求項２３】
前記第１のフェムトセルにおいて、前記第１のフェムトセルへのハードハンドオフを開始するために、トラフィックチャネルリソースを前記モバイルエンティティに割り当てるようにネットワークエンティティから要求を受信するためのコードをさらに備える、請求項２２に記載のコンピュータプログラム製品。
【請求項２４】
前記要求に応答して、前記１つまたは複数の隣接フェムトセルからトラフィックチャネルリソースの割当てを要求するためのコードをさらに備える、請求項２３に記載のコンピュータプログラム製品。
【請求項２５】
前記要求に返答して、前記第１のフェムトセルと前記１つまたは複数の隣接フェムトセルとの各々についての別個の識別子を含む第１の識別子と、前記第１のフェムトセルの前記トラフィックチャネルリソースと前記１つまたは複数の隣接フェムトセルから要求された前記トラフィックチャネルリソースとの各々についての別個の識別子を含む第２の識別子とをシグナリングするためのコードをさらに備える、請求項２４に記載のコンピュータプログラム製品。
【請求項２６】
前記第１のフェムトセルにおいて前記フェムトセルネットワークのフェムトセルからの信号に基づく選択プロシージャを使用して、前記フェムトセルの前記１つまたは複数の隣接フェムトセルを識別するためのコードをさらに備える、請求項２２に記載のコンピュータプログラム製品。
【請求項２７】
別個のエンティティによって提供されるネイバーの定義されたセットを使用して、前記第１のフェムトセルの前記１つまたは複数の隣接フェムトセルを識別するためのコードをさらに備える、請求項２２に記載のコンピュータプログラム製品。
【請求項２８】
共通の時間基準を使用して前記フェムトセルネットワークのフェムトセルの間でビーコンホッピングパターンを同期させることであって、それにより、前記フェムトセルが、同期をとった時間において共通の順方向リンク周波数上で周波数ホッピングビーコンを送信する、同期させることを行うためのコードをさらに備える、請求項２２に記載のコンピュータプログラム製品。
【請求項２９】
前記モバイルエンティティによって生成された前記周波数ホッピングビーコンの測定値に基づいて前記第１のフェムトセルを選択するためのコードをさらに備える、請求項２８に記載のコンピュータプログラム製品。
【請求項３０】
前記モバイルエンティティからの逆方向リンク信号の信号強度を検出するように前記フェムトセルネットワークのすべてのフェムトセルに要求するためのコードをさらに備える、請求項２２に記載のコンピュータプログラム製品。
【請求項３１】
前記すべてのフェムトセルによって提供される信号強度測定値に基づいて前記第１のフェムトセルを選択するためのコードをさらに備える、請求項３０に記載のコンピュータプログラム製品。
【発明の詳細な説明】
【関連出願の相互参照】
【０００１】
本出願は、その全体の中に参照によりここに組み込まれる、２０１０年９月２８日に出願された米国仮出願第６１／３８７，０９７号の、３５  Ｕ．Ｓ．Ｃ．§１１９（ｅ）に従って優先権を主張する。
【技術分野】
【０００２】
本開示の態様は、一般にワイヤレス通信システムに関し、より詳細には、セルラー基地局からフェムトセルのネットワークへのアクティブハンドインに関する。
【背景技術】
【０００３】
ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムを含む。
【０００４】
概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００５】
従来のモバイル電話ネットワーク基地局を補うために、追加の基地局は、よりロバストなワイヤレスカバレージをモバイルユニットに提供するように展開され得る。たとえば、増分キャパシティ(incremental capacity)の増大、よりリッチなユーザエクスペリエンス、および屋内カバレージ(in-building coverage)のために、（たとえば、一般に、アクセスポイント基地局、ホームノードＢ、フェムトアクセスポイント、またはフェムトセルと呼ばれる）ワイヤレス中継局および小カバレージ(small-coverage)基地局が展開され得る。一般に、そのような小カバレージ基地局は、ＤＳＬルータまたはケーブルモデムを介してインターネットおよびモバイルオペレータのネットワークに接続される。これらの他のタイプの基地局は、従来の基地局（たとえば、マクロ基地局）と別の形で従来のモバイル電話ネットワーク（たとえば、バックホール(backhaul)）に加えられ得るので、マクロセルネットワークからのハンドインを管理することを含む、これらの他のタイプの基地局およびそれらの関連するユーザ機器を管理するための効果的な技法が必要である。
【発明の概要】
【０００６】
アクティブハンドインは、移動局がフェムトセル基地局によってサーブされる(served)カバレージエリアに移動するときの、マクロセル基地局からそのフェムトセル基地局へのその移動局のボイスまたはデータセッションのハンドオフを指す。ユーザがフェムトセルカバレージエリアに移動するときにボイス呼品質(voice call quality)および継続性またはデータサービスを維持するために、アクティブハンドインが必要とされ得る。さらに、マクロネットワークからトラフィックをオフロードし、それによって他のユーザのためのリソースを解放するために、アクティブハンドインが使用され得る。しかしながら、アクティブハンドインは極めて難しく(challenging)、ハンドインのための既存のソリューションはいくつかの欠点を有する。アクティブハンドインは、たとえば、法人のオフィス、空港、ショッピングモールなどにおいて使用されるような、（企業(enterprise)フェムトセル展開としても知られる）商用マルチフェムトセル展開において、特に難しいことがあり得る。そのような展開においていくつかのフェムトセルがすぐそばに近接していること(close proximity)と、他の要因とが、ハンドインのための最適ターゲットフェムトセルの識別を困難にし得る。本開示は、マルチフェムト展開などにおける、複数のフェムトセル基地局のネットワークにおけるフェムトセル基地局へのアクセス端末のアクティブハンドインのための方法および装置を提供する。
【０００７】
一態様では、フェムトセル（ＨＮＢなど）は、他のネットワークエンティティと協働して、マクロ基地局ネットワークからフェムトセルネットワークへのアクティブハンドインを可能にするための方法を実行し得る。本方法は、フェムトセルネットワークの第１のフェムトセルを使用して、マクロ基地局からフェムトセルネットワークへのモバイルエンティティのアクティブハンドインをサービスすることを含み得る。第１のフェムトセルは、ネットワークエンティティによって最適ターゲットセルとして識別され得る。本方法は、アクティブハンドインのために、マクロ基地局からのモバイルエンティティのハードハンドオフとともに、フェムトセルネットワーク中の第１のフェムトセルと１つまたは複数の隣接フェムトセルとの間でのモバイルエンティティのソフトハンドオフを可能にすることをさらに含み得る。本方法の一態様では、ハンドイン後にサーブされる第１のデータビットからモバイルエンティティのためにソフトハンドオフサービスが可能にされるように、ハードハンドオフの完了より前に、ハードハンドオフの完了と同時に、またはハードハンドオフの完了の直後にソフトハンドオフが可能にされ得る。
【０００８】
関係する態様では、本方法は、第１のフェムトセルにおいて、第１のフェムトセルへのハードハンドオフを開始するために、トラフィックチャネルリソースをモバイルエンティティに割り当てるようにネットワークエンティティから要求を受信することを含み得る。本方法は、第１のフェムトセルが、その要求に応答して、１つまたは複数の隣接フェムトセルからトラフィックチャネルリソースの割当てを要求することを含み得る。本方法は、第１のフェムトセルが、その要求に返答して、第１のフェムトセルと１つまたは複数の隣接フェムトセルとの各々についての別個の識別子を含む第１の識別子と、第１のフェムトセルのトラフィックチャネルリソースと１つまたは複数の隣接フェムトセルから要求されたトラフィックチャネルリソースとの各々についての別個の識別子を含む第２の識別子とをシグナリングすることをさらに含み得る。本方法は、要求されたトラフィックチャネルリソースを割り振ることなどによって、その要求を受信することに基づいて、モバイルエンティティのアクティブハンドインのために１つまたは複数の隣接フェムトセルを準備することを含み得る。
【０００９】
別の態様では、本方法は、第１のフェムトセル、または別のネットワークエンティティが、第１のフェムトセルにおいてフェムトセルネットワークのフェムトセルからの信号に基づく選択プロシージャを使用して、フェムトセルの１つまたは複数の隣接フェムトセルを識別することを含み得る。代替または追加として、本方法は、別個のエンティティによって提供されるネイバーの定義されたセットを使用して、第１のフェムトセルの１つまたは複数の隣接フェムトセルを識別することを含み得る。
【００１０】
第１のターゲットフェムトセルを識別し、選択することに関係する独立した態様では、本方法（または独立した方法）は、共通の時間基準を使用してフェムトセルネットワークのフェムトセルの間でビーコンホッピングパターンを同期させることであって、それにより、フェムトセルが、同期をとった時間において共通の順方向リンク周波数上で周波数ホッピングビーコンを送信する、同期させることを含み得る。これは、ネットワークエンティティが、モバイルエンティティによって生成された周波数ホッピングビーコンの測定値に基づいて第１のフェムトセルを選択することをさらに含み得る。
【００１１】
第１のフェムトセルを識別し、選択することに関係する別の独立した態様では、本方法（または独立した方法）は、ネットワークエンティティが、モバイルエンティティからの逆方向リンク信号の信号強度を検出するようにフェムトセルネットワークのすべてのフェムトセルに要求することを含み得る。そのような方法は、ネットワークエンティティが、フェムトセルの各々からの逆方向リンク信号の信号強度の測定値を受信することをさらに含み得る。ネットワークエンティティは、その測定値に基づいて第１のフェムトセルを選択し得る。
【００１２】
関係する態様では、上記方法および上記で要約した方法の態様のいずれかを実行するためのワイヤレス通信装置が提供され得る。装置は、たとえば、メモリに結合されたプロセッサであって、メモリが、上記で説明した動作を装置に実行させるためにプロセッサによる実行のための命令を保持する、プロセッサを含み得る。そのような装置のいくつかの態様（たとえば、ハードウェア態様）は、ワイヤレス通信のために使用される様々なタイプのフェムトセル、マクロ基地局またはモバイルエンティティなどの機器によって例示され得る。同様に、プロセッサによって実行されたとき、上記方法および上記で要約した方法の態様をワイヤレス通信装置に実行させる、符号化された命令を保持する非一時的コンピュータ可読記憶媒体を含む、製造品が提供され得る。
【図面の簡単な説明】
【００１３】
本開示の特徴、性質、および利点は、以下で説明する図面とともに、以下に示す詳細な説明を読めばより明らかになろう。図面および詳細な説明全体にわたって、図面のうちの１つまたは複数に現れる同様の要素を識別するために同様の参照符号が使用され得る。
【図１】多元接続ワイヤレス通信システムを示す。
【図２】ワイヤレスアクセスポイントとアクセス端末との関係する態様を示す送信機／受信機システムのブロック図を表す。
【図３】フェムトセルのネットワークへのアクセス端末のハンドインのためのアクティブハンドインプロシージャを使用し得るマルチセルワイヤレス通信システムの態様を示す。
【図４】ネットワーク環境内でのフェムトノードの展開を含むワイヤレス通信システムの他の態様を示す。
【図５】いくつかのトラッキングエリアが定義されたカバレージマップの一例を示す。
【図６】マルチフェムト展開へのアクティブハンドインまたは関係する動作のための方法を示す流れ図。
【図７】マルチフェムト展開へのアクティブハンドインまたは関係する動作のための方法を示す流れ図。
【図８】マルチフェムト展開へのアクティブハンドインまたは関係する動作のための方法を示す流れ図。
【図９】マルチフェムト展開へのアクティブハンドインまたは関係する動作のための方法を示す流れ図。
【図１０】マルチフェムト展開へのアクティブハンドインまたは関係する動作のための方法を示す流れ図。
【図１１】図６〜図１０の方法に従った、マルチフェムト展開へのアクティブハンドインのための装置の一実施形態を示すブロック図。
【詳細な説明】
【００１４】
添付の図面に関して、以下に示す詳細な説明は、様々な構成の説明として意図されるものであり、ここに説明する概念が実施され得る唯一の構成を表すように意図されない。詳細な説明は、様々な概念の完全な理解を提供するための具体的な詳細を含む。ただし、これらの概念はこれらの具体的な詳細なしに実施され得ることが当業者には明らかであろう。
【００１５】
ここに説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用され得る。「ネットワーク」および「システム」という用語は、しばしば互換的に使用される。ＣＤＭＡネットワークは、たとえば、Ｕｎｉｖｅｒｓａｌ  Ｔｅｒｒｅｓｔｒｉａｌ  Ｒａｄｉｏ  Ａｃｃｅｓｓ（ＵＴＲＡ）またはＣＤＭＡ２０００などの無線技術を実装し得る。ＵＴＲＡは、広帯域ＣＤＭＡ（ＷＣＤＭＡ）（登録商標）およびＣＤＭＡの他の変形態を含む。ＣＤＭＡ２０００は、ＩＳ−２０００、ＩＳ−９５およびＩＳ−８５６規格によって説明され得る。ＴＤＭＡネットワークは、たとえば、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡネットワークは、たとえば、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０およびＦｌａｓｈ−ＯＦＤＭＡ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に説明されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に説明されている。ここに説明する技法は、上記のワイヤレスネットワークおよび無線技術、ならびに他のワイヤレスネットワークおよび無線技術に使用され得る。単に例として、本技法のいくつかの態様は以下ではＣＤＭＡ２０００  １ｘＲＴＴに関して説明され、以下の説明の大部分で関連する用語が使用される。
【００１６】
シングルキャリア変調および周波数領域等化(frequency domain equalization)を利用するシングルキャリア周波数分割多元接続（ＳＣ−ＦＤＭＡ）は、１つの技法である。ＳＣ−ＦＤＭＡは、ＯＦＤＭＡシステムと同様の性能および本質的に同じ全体的な複雑さを有する。ＳＣ−ＦＤＭＡ信号は、それの固有のシングルキャリア構造のために、より低いピーク対平均電力比(peak-to-average power ratio)（ＰＡＰＲ）を有する。ＳＣ−ＦＤＭＡは、特に、より低いＰＡＰＲが送信電力効率の点でモバイル端末に大いに利益になるアップリンク通信において、大きい注目を引いている。それは現在、３ＧＰＰ  Ｌｏｎｇ  Ｔｅｒｍ  Ｅｖｏｌｕｔｉｏｎ（ＬＴＥ）、またはＥｖｏｌｖｅｄ  ＵＴＲＡにおけるアップリンク多元接続方式に関する実用的な前提(assumption)である。
【００１７】
本開示の態様は、大きいスケールのカバレージ（たとえば、一般にマクロセルネットワークと呼ばれる、３Ｇネットワークなどの広域セルラーネットワーク）と、より小さいスケールのカバレージ（たとえば、住居ベースまたは建築物ベースのネットワーク環境）とを含むネットワークにおいて使用するように適応され得る。アクセス端末（「ＡＴ」）がそのようなネットワーク中を移動するとき、アクセス端末は、あるロケーションでは、マクロカバレージを提供するアクセスノード（「ＡＮ」）によってサーブされ得、一方、アクセス端末は、他のロケーションでは、より小さいスケールのカバレージを提供するアクセスノードによってサーブされ得る。いくつかの態様では、より小さいカバレージノードは、（たとえば、よりロバストなユーザエクスペリエンスのために）増分キャパシティの増大と、屋内カバレージと、様々なサービスとを提供するために使用され得る。ここにおける説明では、比較的大きいエリアにわたるカバレージを提供するノードは、マクロノードと呼ばれ得る。比較的小さいエリア（たとえば、住居）にわたるカバレージを提供するノードは、フェムトノードと呼ばれ得る。マクロエリアよりも小さく、フェムトエリアよりも大きいエリアにわたるカバレージを提供する（たとえば、商業建築物内のカバレージを与える）ノードは、ピコノードと呼ばれ得る。
【００１８】
マクロノード、フェムトノード、またはピコノードに関連付けられたセルは、それぞれ、マクロセル、フェムトセル、またはピコセルと呼ばれ得る。いくつかの実装では、各セルがさらに１つまたは複数のセクタに関連付けられ（たとえば、分割され）得る。３ＧＰＰでは、「セル」という用語は、この用語が使用されるコンテキストに応じて、ｅＮＢのカバレージエリアおよび／またはこのカバレージエリアをサーブしているｅＮＢサブシステムを指し得る。
【００１９】
様々な適用例では、他の用語が、マクロノード、フェムトノード、またはピコノードを指すために使用され得る。たとえば、マクロノードは、アクセスノード、基地局、アクセスポイント、ｅノードＢ、マクロセルなどとして構成され、またはそのように呼ばれ得る。また、フェムトノードは、ホームノードＢ、ホームｅノードＢ、アクセスポイント基地局、フェムトセル、フェムトアクセスポイントなどとして構成され、またはそのように呼ばれ得る。
【００２０】
図１を参照すると、一実施形態による多元接続ワイヤレス通信システムが示されている。アクセスポイント１００（ＡＰ）は、複数のアンテナグループを含み得る、たとえば、あるものは１０４および１０６を含み、別のものは１０８および１１０を含み、追加のものは１１２および１１４を含み得る。図１では、アンテナグループごとに２つのアンテナのみが示されているが、アンテナグループごとにより多いまたはより少ないアンテナが利用され得る。アクセス端末１１６（ＡＴ）はアンテナ１１２および１１４と通信しており、アンテナ１１２および１１４は、順方向リンク１２０上でアクセス端末１１６に情報を送信し、逆方向リンク１１８上でアクセス端末１１６から情報を受信する。アクセス端末１２２はアンテナ１０６および１０８と通信しており、アンテナ１０６および１０８は、順方向リンク１２６上でアクセス端末１２２に情報を送信し、逆方向リンク１２４上でアクセス端末１２２から情報を受信する。周波数分割複信（ＦＤＤ）システムでは、通信リンク１１８、１２０、１２４および１２６は、通信のために異なる周波数を使用し得る。たとえば、順方向リンク１２０は、逆方向リンク１１８によって使用される周波数とは異なる周波数を使用し得る。
【００２１】
アンテナの各グループ、および／またはそれらが通信するように設計されたエリアは、しばしば、アクセスポイントのセクタと呼ばれる。図示したシステムでは、アンテナグループはそれぞれ、アクセスポイント１００によってカバーされるエリアのセクタ内でアクセス端末に通信するように設計される。
【００２２】
順方向リンク１２０および１２６での通信では、アクセスポイント１００の送信アンテナは、異なるアクセス端末１１６および１２４に対して順方向リンクの信号対雑音比を改善するためにビームフォーミングを利用し得る。アクセスポイントが、ビームフォーミングを使用して、それのカバレージ中にランダムに分散されたアクセス端末に送信するほうが、アクセスポイントが単一のアンテナからそれのすべてのアクセス端末に送信するよりも、隣接セル中のアクセス端末への干渉が小さくなる。
【００２３】
アクセスポイントは、端末と通信するために使用される固定局であり得、アクセスポイント、ノードＢ、発展型ノードＢ（ｅＮＢ）、マクロセル、マクロセル基地局または何らかの他の用語でも呼ばれ得る。アクセス端末は、アクセス端末、ユーザ機器（ＵＥ）、ワイヤレス通信デバイス、端末、アクセス端末または何らかの他の用語でも呼ばれ得る。
【００２４】
図２は、多入力多出力（ＭＩＭＯ）システム２００における送信機システム２１０と受信機システム２５０との態様を示すブロック図である。本送信機システムの態様は、ここに説明するアクティブハンドインプロシージャを実行するためのアクセスポイント、たとえば、フェムトセル基地局に適応され得る。本受信機システムの態様は、アクセス端末、たとえば、アクセス端末と通信している移動局またはユーザ機器に適応され得る。送信機システム２１０および受信機システム２５０は、本開示の他のより詳細な態様が実施され得る好適な送信機・受信機システムを例示する。これらのより詳細な態様はまた、他の送信機、受信機、または送信機・受信機システムを使用して実施され得、図２に示した特定のアーキテクチャに限定されないことが明らかであろう。さらに、本開示の発明の態様を組み込んだ送信機システムは、概して、ここにおける他の場所で説明する他の構成要素または態様を含むことは明らかであろう。
【００２５】
送信機システム２１０において、いくつかのデータストリームのトラフィックデータがデータソース２１２から送信（ＴＸ）データプロセッサ２１４に提供される。いくつかの送信機システムでは、各データストリームは、それぞれの送信アンテナを通して送信され得る。ＴＸデータプロセッサ２１４は、コード化データを提供するために、各データストリームのトラフィックデータを、そのデータストリームのために選択された特定のコーディング方式に基づいてフォーマットし、コード化し、インターリーブする。
【００２６】
各データストリームのコード化データは、ＯＦＤＭ技法を使用してパイロットデータで多重化され得る。パイロットデータは、典型的には、知られている方法で処理され、チャネル応答を推定するために受信機システムにおいて使用され得る、既知のデータパターンである。次いで、各データストリームの多重化されたパイロットデータおよびコード化データは、変調シンボルを提供するために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）され得る。各データストリームのデータレート、コーディング、および変調は、プロセッサ２３０によって実行される命令によって判断され得る。
【００２７】
次いで、すべてのデータストリームの変調シンボルがＴＸ  ＭＩＭＯプロセッサ２２０に提供され得、それはさらに（たとえば、ＯＦＤＭ用に）その変調シンボルを処理し得る。次いで、ＴＸ  ＭＩＭＯプロセッサ２２０はＮＴ個の変調シンボルストリームをＮＴ個の送信機（ＴＭＴＲ）２２２ａ〜２２２ｔに提供する。いくつかの実施形態では、ＴＸ  ＭＩＭＯプロセッサ２２０は、データストリームのシンボルと、シンボルの送信元のアンテナとにビームフォーミング重み(beamforming weights)を適用する。
【００２８】
各送信機２２２は、１つまたは複数のアナログ信号を提供するために、それぞれのシンボルストリームを受信し、処理し、さらに、ＭＩＭＯチャネルでの送信に適した変調された信号を提供するために、それらのアナログ信号を調整(condition)（たとえば、増幅、フィルタ処理、およびアップコンバート）する。次いで、送信機２２２ａ〜２２２ｔからのＮＴ個の変調された信号は、それぞれＮＴ個のアンテナ２２４ａ〜２２４ｔから送信される。
【００２９】
受信機システム２５０において、送信された変調された信号は、ＮＲ個のアンテナ２５２ａ〜２５２ｒによって受信され得る。各アンテナ２５２から受信された信号は、それぞれの受信機（ＲＣＶＲ）２５４ａ〜２５４ｒに提供され得る。各受信機２５４は、それぞれの受信された信号を調整（たとえば、フィルタ処理、増幅、およびダウンコンバート）し、サンプルを提供するために、調整された信号をデジタル化し、さらに、対応する「受信された」シンボルストリームを提供するために、それらのサンプルを処理する。
【００３０】
次いで、ＲＸデータプロセッサ２６０は、ＮＴ個の「検出された」シンボルストリームを提供するために、特定の受信機処理技法に基づいて、ＮＲ個の受信機２５４からＮＲ個の受信されたシンボルストリームを受信し、処理し得る。次いで、ＲＸデータプロセッサ２６０は、データストリームのトラフィックデータをリカバーするために、各検出されたシンボルストリームを復調し、デインターリーブし、復号する。ＲＸデータプロセッサ２６０による処理は、送信機システム２１０におけるＴＸ  ＭＩＭＯプロセッサ２２０およびＴＸデータプロセッサ２１４によって実行される処理を補足するものである。
【００３１】
プロセッサ２７０は、適切に作用して(operatively)結合されたメモリ２７２中のデータと命令とを使用して、受信されたデータを処理し、制御方法に従って適切な応答信号を生成し得る。本方法は、ここにおける他の場所でより詳細に説明するように、フェムトセルネットワークへのアクティブハンドインを完了するためのフェムトセル送信システムと協働することを含み得る。関係する態様では、プロセッサ２７０は、フェムトセルとのこの協働を達成するために、必要に応じてマトリックスインデックス部分とランク値部分とを備える逆方向リンクメッセージを作成(formulate)し得る。
【００３２】
逆方向リンクメッセージは、通信リンクおよび／または受信されたデータストリームに関する様々なタイプの情報を備え得る。次いで、逆方向リンクメッセージは、アップリンク信号を提供するためにデータソース２３６からいくつかのデータストリームのトラフィックデータを受信もし得る、ＴＸデータプロセッサ２３８によって処理され得る。アップリンク信号は、変調器２８０によって変調され、送信機２５４ａ〜２５４ｒによって調整され、送信機システム２１０に返信され(transmitted back)得る。
【００３３】
送信機システム２１０において、受信機システム２５０からの変調されたアップリンク信号は、受信機システム２５０によって送信された逆方向リンクメッセージが抽出するために、アンテナ２２４によって受信され、受信機２２２によって調整され、復調器２４０によって復調され、ＲＸデータプロセッサ２４２によって処理され得る。プロセッサ２３０は、次いで、プロセッサ２３０に関連する動作可能なメモリ２３２に記憶されたデータと命令とを使用して、ビームフォーミング重みを判断するためにどのプリコーディングマトリックスを使用すべきかを判断し得、次いで、抽出されたメッセージを処理する。プロセッサ２３０はまた、ここにおける他の場所でより詳細に説明するように、受信機システム２５０に、マクロ基地局に、または他のフェムト基地局に送信するためのメッセージを生成し、可能にされたソフトハンドオーバを用いた、フェムトセルネットワークへのアクセス端末のアクティブハンドインを実行するための他のアクションを開始し得る。これらの動作を実行するための命令とデータとは、メモリ２３２に記憶され、適切な時間に実行するためにプロセッサ２３０にロードされ得る。
【００３４】
一態様では、送信機と受信機との間で情報を交換するために使用される論理チャネルは、制御チャネルとトラフィックチャネルとに分類され得る。論理制御チャネルは、システム制御情報をブロードキャストするためのダウンリンク（ＤＬ）チャネルであり得るブロードキャスト制御チャネル（ＢＣＣＨ）を備える。ページング制御チャネル（ＰＣＣＨ）は、ページング情報を転送するＤＬチャネルであり得る。マルチキャスト制御チャネル（ＭＣＣＨ）は、１つまたはいくつかのマルチキャストトラフィックチャネル（ＭＴＣＨ）についてのマルチメディアブロードキャストおよびマルチキャストサービス（ＭＢＭＳ）のスケジューリングおよび制御情報を送信するために使用されるポイントツーマルチポイント(point-to-multipoint)ＤＬチャネルであり得る。概して、ＲＲＣ接続を確立した後、このチャネルは、ＭＢＭＳ信号を受信し、使用することが可能なアクセス端末によって使用され得る。専用制御チャネル（ＤＣＣＨ）は、ＲＲＣ接続を有するアクセス端末による使用のための、専用制御情報を送信するポイントツーポイント双方向チャネルであり得る。態様では、論理トラフィックチャネルは、ユーザ情報の転送のための、１つのＵＥに専用の、ポイントツーポイント双方向チャネルであり得る専用トラフィックチャネル（ＤＴＣＨ）をさらに含み得る。また、ＭＴＣＨは、トラフィックデータを送信するためのポイントツーマルチポイントＤＬチャネルであり得る。
【００３５】
一態様では、トランスポートチャネルは、ＤＬとアップリンク（ＵＬ）とに分類され得る。ＤＬトランスポートチャネルは、ブロードキャストチャネル（ＢＣＨ）と、ダウンリンク共有データチャネル（ＤＬ−ＳＤＣＨ）と、ページングチャネル（ＰＣＨ）とを含み得る。ＵＬトランスポートチャネルは、ランダムアクセスチャネル（ＲＡＣＨ）と、要求チャネル（ＲＥＱＣＨ）と、アップリンク共有データチャネル（ＵＬ−ＳＤＣＨ）と、複数の物理（ＰＨＹ）チャネルとを含み得る。ＰＨＹチャネルは、ＤＬチャネルとＵＬチャネルとのセットを含み得る。上記のチャネルは、単に現代のワイヤレス通信システムにおいて使用されるチャネルの例にすぎず、チャネルの排他的なまたは網羅的なリストを表すものではない。これらおよび他のチャネルは、本開示のより詳細な態様を実装するために使用され得る。
【００３６】
図３は、ここにおける教示が実装され得る、何人かのユーザをサポートするように構成されたワイヤレス通信システム３００を示す。システム３００は、たとえば、マクロセル３０２Ａ〜３０２Ｇなど、複数のセル３０２のための通信を提供し、各セルは、対応するアクセスポイント３０４（たとえば、アクセスポイント３０４Ａ〜３０４Ｇ）によってサービスされる。ネットワークコントローラ（図示せず）は、基地局のセット（たとえば、グループ３０４Ａ〜３０４Ｇ）に結合し、これらのアクセスポイントのために協調(coordination)を提供し、および制御を行い得る。ネットワークコントローラは、バックホールを介してアクセスポイントと通信し得る。グループ３０４Ａ〜３０４Ｇ中のアクセスポイントはまた、たとえば、ワイヤレスまたはワイヤラインバックホールを介して直接または間接的に互いに通信し得る。グループ３０４Ａ〜３０４Ｇ中の各アクセスポイントは、第１のブロードバンドバックホールネットワーク（図示せず）を介してグループ中の他のアクセスポイントに接続され得る。
【００３７】
本システムは、追加の、より低い電力アクセスポイント３０８Ａ〜３０８Ｃ、たとえば、フェムト基地局を含み得る。したがって、システム３００は、様々なタイプのアクセスポイント、たとえば、マクロｅＮＢ、ピコｅＮＢ、フェムトｅＮＢ、リレー(relays)などを含む異種ネットワークと見なされ得る。これらの様々なタイプのアクセスポイントは、様々な送信電力レベル、様々なカバレージエリア、およびワイヤレスネットワーク１００中の干渉に対する様々な影響(impact)を有し得る。たとえば、マクロｅＮＢは、高い送信電力レベル（たとえば、５〜４０ワット）を有し得るが、ピコセル基地局、フェムトセル基地局、およびリレーは、より低い送信電力レベル（たとえば、０．１〜２ワット）を有し得る。
【００３８】
アクセスポイント３０４Ａ〜３０４Ｇは、ワイヤレスネットワークシステム３００全体にわたって分散され得、各アクセス端末は、固定または移動であり得る。アクセス端末は、ＵＥ、端末、移動局、モバイルエンティティ、加入者ユニット、局、または他の用語でも呼ばれ得る。ＵＥは、セルラー電話、携帯情報端末(personal digital assistant)（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、または他のモバイルエンティティであり得る。ＵＥは、マクロｅＮＢ、ピコｅＮＢ、フェムトｅＮＢ、リレー、または他のネットワークエンティティと通信することが可能であり得る。図３において、実線矢印は、ダウンリンクおよび／またはアップリンク上での、アクセス端末と、そのアクセス端末をサーブするように指定された基地局であるサービング基地局との間の所望の送信を示す。破線矢印は、基地局と端末との間の干渉送信(interfering transmissions)を示す。
【００３９】
グループ３０８Ａ〜３０８Ｃ中の各々のより低い電力アクセスポイントは、第２のブロードバンドバックホールネットワーク（図示せず）を介してそれのグループ中の他のアクセスポイントに接続され得る。しかしながら、グループ３０４Ａ〜３０４Ｇおよびグループ３０８Ａ〜３０８Ｃ中のアクセスポイント間にバックホール接続が存在しないことがあり得、したがって、これらの異なるグループ中のアクセスポイントが異なるグループ中のアクセスポイントと直接通信することが可能でないことがあり得る。したがって、ボイスおよびトラフィックフレームは、グループ３０４Ａ〜３０４Ｇと３０８Ａ〜３０８Ｃの両方に同時に送られることができず、それは、これらの異なるグループ中のエンティティ間でのソフトハンドオフを防ぐ。したがって、グループ３０４Ａ〜３０４Ｇ中のアクセスポイントからグループ３０８Ａ〜３０８Ｃ中のアクセスポイントにアクセス端末をハンドオーバするとき、ハードハンドオフを含むアクティブハンドインプロシージャを実行することが必要であり得る。
【００４０】
図３に示すように、アクセス端末３０６（たとえば、アクセス端末３０６Ａ〜３０６Ｉ）は、システム全体にわたって、時間とともに変化し得る様々なロケーションに分散され得る。各アクセス端末３０６は、たとえば、アクセス端末３０６がアクティブであるかどうか、およびそれがソフトハンドオフ中であるかどうかに応じて、所与の瞬間に順方向リンク（「ＦＬ」）および／または逆方向リンク（「ＲＬ」）上で１つまたは複数のアクセスポイント３０４と通信し得る。ＲＬとＦＬとの上で異なるプロトコルが使用され得る。ワイヤレス通信システム３００は大きい地理的領域にわたってワイヤレスサービスを提供し得る。たとえば、アクセスポイント３０２Ａ〜３０２Ｇは、近隣内の数ブロック、またはより大きいエリアをカバーするマクロセルとして構成され得る。アクセスポイント３０８Ａ〜３０８Ｃなどのより低い電力アクセスポイントは、セル３０２Ａ〜３０２Ｇのうちの１つまたは複数の中に含まれ得る比較的小さいエリア、たとえば、オフィスビル、空港、オフィス複合体、または他のサービスエリアの一部分にわたってワイヤレスサービスを提供し得る。
【００４１】
ワイヤレスシステム３００は、同期または非同期動作をサポートし得る。同期動作の場合、アクセスポイントは同様のフレームタイミングを有し得、異なるアクセスポイントからの送信は近似的に時間において(in time)整合され(aligned)得る。非同期動作の場合、アクセスポイントは異なるフレームタイミングを有し得、異なるアクセスポイントからの送信は時間において整合されないことがあり得る。ここに説明する技法は、同期と非同期動作の両方のために使用され得る。
【００４２】
図４は、１つまたは複数のフェムトノードがネットワーク環境内に展開された例示的な通信システム４００を示す。特に、システム４００は、比較的小さいスケールのネットワーク環境中に、たとえば、１つまたは複数のオフィス４３０中に設置された複数のフェムトノード４１０Ａ〜４１０Ｂを含み得る。各フェムトノード４１０Ａ〜４１０Ｂは、ＤＳＬルータ、ケーブルモデム、ワイヤレスリンク、または他の接続手段（図示せず）を介して、ワイドエリアネットワーク４４０（たとえば、インターネット）とモバイルオペレータコアネットワーク４５０とに結合され得る。以下で説明するように、各フェムトノード４１０Ａ〜４１０Ｂは、関連するアクセス端末（たとえば、アクセス端末４２０Ａ）、および、随意に、他の(alien)アクセス端末（たとえば、アクセス端末４２０Ｂ）をサーブするように構成され得る。フェムトノード４１０Ａ〜４１０Ｂへのアクセスは、所望される場合、モバイル加入者のサブセットに制限され得、それによって、所与のアクセス端末４２０が、１つまたは複数の指定された（たとえば、ホーム）フェムトノード４１０Ａ〜４１０Ｂのセットによってサーブされ得るが、ネイバーのフェムトノードなど、指定されていないフェムトノードによってはサーブされ得ない。
【００４３】
図５は、いくつかのトラッキングエリア５０２Ａ〜５０２Ｃ（またはルーティングエリアまたはロケーションエリア）が定義されたカバレージマップ５００の一例を示し、その各々はいくつかのマクロカバレージエリア５０４を含む（多くのうちの２つが示されている）。ここで、トラッキングエリア５０２Ａ、５０２Ｂ、および５０２Ｃに関連するカバレージのエリアは太線によって描かれ、マクロカバレージエリア５０４は六角形によって表される。トラッキングエリア５０２はフェムトカバレージエリア５０６をも含む。この例では、フェムトカバレージエリア５０６Ａ〜５０６Ｃの各々（たとえば、フェムトカバレージエリア５０６Ｃ）は、マクロカバレージエリア５０４内に描かれる。ただし、フェムトカバレージエリアは、そのようなマクロカバレージエリアのうちの２つ以上の中に含まれるべき単一のマクロカバレージエリア５０４を越えて拡張し得ることを諒解されたい。実際には、多数のフェムトカバレージエリアが、所与のトラッキングエリア５０２Ａ〜５０２Ｃまたはマクロカバレージエリア５０４とともに定義され得る。また、１つまたは複数のピコカバレージエリア（図示せず）は、所与のトラッキングエリア５０２Ａ〜５０２Ｃまたはマクロカバレージエリア５０４内に定義され得る。
【００４４】
再び図４を参照すると、フェムトノード４１０Ａの所有者は、たとえば、３Ｇモバイルサービスなど、モバイルオペレータコアネットワーク４５０から提供されるモバイルサービスに加入し得る。さらに、アクセス端末４２０は、マクロ環境と、より小さいスケールの（たとえば、宅内(residential)またはオフィス）ネットワーク環境の両方で動作することが可能であり得る。言い換えれば、アクセス端末４２０の現在のロケーションに応じて、アクセス端末４２０は、マクロセルモバイルネットワーク４５０のアクセスノード４６０によって、または、対応するフェムトサービスエリア４３０内に存在する(reside)フェムトノード４１０Ａおよび４１０Ｂなどのフェムトノードのセットのうちのいずれか１つによってサーブされ得る。たとえば、加入者は、自宅の外にいるときは標準のマクロアクセスノード（たとえば、ノード４６０）によってサーブされ、自宅にいるときはフェムトノード（たとえば、ノード４１０Ａまたは４１０Ｂ）によってサーブされる。ここで、フェムトノード４２０は既存のアクセス端末４２０と後方互換性(backward compatible)があり得ることを諒解されたい。
【００４５】
フェムトノード４１０Ａ、４１０Ｂは、単一の周波数上に展開され、または代替として、複数の周波数上に展開され得る。特定の構成に応じて、単一の周波数、あるいは複数の周波数のうちの１つまたは複数は、マクロノード（たとえば、ノード４６０）によって使用される１つまたは複数の周波数と重複(overlap)し得る。いくつかの態様では、アクセス端末４２０Ａまたは４２０Ｂは、そのような接続性が可能であるときはいつでも、好ましいフェムトノード（たとえば、アクセス端末４２０Ａのホームフェムトノード）に接続するように構成され得る。たとえば、アクセス端末４２０Ａがフェムトサービスエリア４３０内にあるときはいつでも、アクセス端末４２０がフェムトノード４１０Ａまたは４１０Ｂのうちの１つまたは複数のみと通信することが望まれ得る。
【００４６】
いくつかの態様では、アクセス端末４２０Ａまたは４２０Ｂがマクロセルラーネットワーク４５０内で動作しているが、（たとえば、好ましいローミングリスト(roaming list)中で定義された）その最も好ましいネットワーク上に存在していない場合、アクセス端末４２０Ａまたは４２０Ｂは、ベターシステムリセレクション(Better System Reselection)（「ＢＳＲ」）を使用して、最も好ましいネットワーク（たとえば、好ましいフェムトノード４１０Ａまたは４１０Ｂ）を探索し続け得、それは、より良好なシステムが現在利用可能であるかどうかを判断するために利用可能なシステムの周期的なスキャニングを伴い得、その後、そのような好ましいシステムに関連付けようとし得る。捕捉(acquisition)エントリを用いて、アクセス端末４２０Ａまたは４２０Ｂは、特定の帯域およびチャネルの探索を制限し得る。たとえば、最も好ましいシステムの探索が周期的に繰り返され得る。好ましいフェムトノード４１０Ａが発見されると、アクセス端末４２０Ａは、それのカバレージエリア内にキャンプするためにフェムトノード４１０Ａを選択し得る。
【００４７】
いくつかの態様では、フェムトノードが制限され得る。たとえば、所与のフェムトノードは、いくつかのサービスをいくつかのアクセス端末に提供することのみし得る。いわゆる制限（または限定(closed)）された関連付けを用いた展開では、所与のアクセス端末は、マクロセルモバイルネットワークと、フェムトノードの定義されたセットとによって、たとえば、対応するユーザ住居４３０内に存在するフェムトノード４１０Ａ〜４１０Ｂによってのみサーブされ得る。いくつかの実装では、少なくとも１つのノードに、シグナリング、データアクセス、登録、ページング、またはサービスのうちの少なくとも１つを提供しないように、ノードが制限され得る。いくつかの態様では、（限定加入者グループホームノードＢと呼ばれることもある）制限されたフェムトノードは、制限されたプロビジョニングされたアクセス端末のセットにサービスを提供するノードである。このセットは、必要に応じて一時的にまたは永続的に拡大され得る。いくつかの態様では、限定加入者グループ(Closed Subscriber Group)（「ＣＳＧ」）は、アクセス端末の共通のアクセス制御リストを共有するアクセスノード（たとえば、フェムトノード）のセットとして定義され得る。領域中のすべてのフェムトノード（または、すべての制限されたフェムトノード）が動作するチャネルは、フェムトチャネルと呼ばれ得る。
【００４８】
したがって、所与のフェムトノードと所与のアクセス端末との間に様々な関係が存在し得る。たとえば、アクセス端末の観点から、オープンフェムトノードは、制限された関連付けをもたないフェムトノードを指し得る。制限されたフェムトノードは、何らかの形で制限された（たとえば、関連付けおよび／または登録について制限された）フェムトノードを指し得る。ホームフェムトノードは、アクセス端末がアクセスし、その上で動作することを許可されるフェムトノードを指し得る。ゲストフェムトノードは、アクセス端末がアクセスすること、またはその上で動作することを一時的に許可されるフェムトノードを指し得る。他のフェムトノードは、おそらく非常事態（たとえば、９１１番）を除いて、アクセス端末がアクセスすること、またはその上で動作することを許可されないフェムトノードを指し得る。
【００４９】
便宜のために、ここにおける開示では、フェムトノードまたは同様の用語でも呼ばれるフェムトセル基地局のコンテキストで様々な機能について説明する。ただし、ピコノードは、同じまたは同様の機能をより大きいカバレージエリアに提供し得ることを諒解されたい。たとえば、所与のアクセス端末に対して、ピコノードが制限されたり、ホームピコノードが定義されたりなどし得る。
【００５０】
［マルチフェムト展開へのアクティブハンドインについての問題］
アクティブハンドインは、移動局がフェムトセル基地局によってサーブされるカバレージエリアに移動するときの、マクロセル基地局からフェムトセル基地局への移動局のボイスまたはデータセッションのハンドオフを指す。ユーザがフェムトセルカバレージエリアに移動するときにボイス呼品質および継続性またはデータサービスを維持するために、アクティブハンドインが必要とされ得る。さらに、マクロネットワークからトラフィックをオフロードし、それによって他のユーザのためのリソースを解放するために、アクティブハンドインが使用され得る。しかしながら、アクティブハンドインは極めて難しく、ハンドインのための既存のソリューションはいくつかの欠点を有する。アクティブハンドインは、たとえば、法人のオフィス、空港、ショッピングモールなどにおいて使用されるような、（企業フェムトセル展開としても知られる）商用マルチフェムトセル展開において、特に難しいことがあり得る。そのような展開においていくつかのフェムトセルがすぐそばに近接していることと、他の要因とが、ハンドインのための最適ターゲットフェムトセルの識別を困難にし得る。
【００５１】
アクティブハンドインのために、マクロネットワークは、ボイスまたはデータセッションが転送されなければならないターゲット基地局（ＢＳ）を識別することが可能であるべきである。いくつかの既存のマクロネットワークでは、２つのマクロセル基地局間でのハンドオフのためのターゲットＢＳは、移動局（ＭＳ）によって送られるＦＬ信号品質報告に基づいて、たとえば、ＣＤＭＡ２０００  １ｘＲＴＴ技術において行われるようなパイロット強度測定メッセージ（ＰＳＭＭ）に基づいて識別され得る。ＰＳＭＭは、近隣基地局のＦＬ信号品質と、ネイバー基地局の各々に関連する一意の(unique)シグナチャ、たとえば、パイロットコードまたは擬似雑音（ＰＮ）オフセットとを識別し得る。ＦＬ信号品質報告は、最適ハンドオフターゲットとして最良のネイバーＢＳを選ぶためにマクロネットワークによって使用され得る。
【００５２】
しかしながら、マクロＢＳからフェムトＢＳへのアクティブハンドインのための最適ターゲットの一意の識別は、マルチフェムトセル展開における問題を提示し得る。一般に、マクロおよびフェムト基地局が同じ周波数上にあるとき、未使用のＰＮオフセットコードの欠如または他の実際の制限により、数個のＰＮオフセットコード（たとえば５個またはそれくらい）のみが利用可能であり得る。これらの比較的少ないＰＮオフセットコードは、マクロＢＳのカバレージエリア内の何百ものフェムトＢＳの間で共有され得る。フェムト基地局がマクロ基地局と同じ周波数上にないときでも、フェムト基地局は、移動局をフェムト基地局に引きつけるために、パイロットおよびオーバーヘッドチャネルを含むビーコンを放射し得る。しかしながら、ビーコンパイロット送信のために利用可能な一意のＰＮオフセットの数は、比較的制限され、所与のエリア中のフェムト基地局を一意に識別するために必要とされる数よりも少ないことがあり得る。したがって、最適ターゲットのための識別子はマルチフェムト展開における１つまたは複数の準最適(sub-optimal)ターゲットフェムト基地局によって共有され得るので、マルチフェムトセル展開における頻繁なＰＮオフセットコードの再使用が、マクロネットワークエンティティがアクティブハンドインのための最適ターゲットフェムト基地局を正しく識別することを困難または不可能にし得る。この問題は、多数の異なるＰＮオフセットまたは他の識別子を使用するためのより制限された能力を持ち得る、レガシーモバイルとフェムトセルとにとって特に明らかであり得る。
【００５３】
この問題に鑑みて、３ＧＰＰ２は、ＣＤＭＡ２０００  １ｘＲＴＴ技術を使用したレガシーモバイルによるアクティブハンドインとともに使用するための、「モバイル感知(mobile sensing)」と呼ばれることもある、フェムトセルによる逆方向リンク（ＲＬ）感知に基づくアクティブハンドインターゲット識別プロシージャを規格化している。この方法では、マクロＢＳが、あるフェムトセル（またはビーコン）ＰＮオフセットコードをもつＰＳＭＭ（または等価のメッセージ）を受信するとき、このＰＮを共有するすべてのフェムトセルは、ＲＬ周波数上でこのモバイルのパイロットエネルギーを測定するように、フェムトコンバージェンスサーバ（ＦＣＳ）などのネットワークエンティティによって要求される。ＲＬパイロット信号強度と他のメトリックとに基づいて、ＦＣＳは、最も高いＲＬパイロット強度を報告するターゲットフェムトセルを選ぶ。原則として、この方法は、他の技術（たとえば、ＷＣＤＭＡ、ＷｉＭａｘ、ＬＴＥなど）にも適用可能であり得る。
【００５４】
しかしながら、標準ＲＬ感知方法は、マルチフェムトセル展開へのハンドインのために使用されるときに性能問題が起こりやすいことがあり得る。マルチフェムト展開において、いくつかのフェムトセルが、建築物の同じ階または複数の階に展開されるか、または場合によっては、互いに比較的近接して離間される(spaced)可能性がある。したがって、いくつかのフェムトセルが同様のＲＬパイロット強度を測定する可能性は高くなり得、したがって、それは標準プロシージャを実行するマクロネットワークエンティティが準最適ターゲットフェムトセルを選択する可能性を増加させる。たとえば、特定のハンドインのための最も最適なターゲットではなく、窓または他の開口(opening)の近くに偶然配置された準最適ターゲットフェムトセルは、建築物の内部に設置された最も最適なターゲットと比較してより強いＲＬパイロットを受信し得る。チャネルフェージング(Channel fading)、ＲＦ伝搬環境変動、ＲＬエネルギー測定の不正確さ、およびＲＬ測定値に影響を及ぼす他の要因が、問題をさらに悪化させ得る。したがって、ＲＬ感知のみでは、最適ターゲットを識別するという問題、または場合によっては、マルチフェムトセル展開へのアクティブハンドインのための満足なアクティブハンドイン性能を得るという問題を確実には解決し得ない。したがって、ＲＬ感知に加えて、またはＲＬ感知の代わりに、アクティブハンドイン性能を改善するためのいくつかの技法を提供することが有利であろう。
【００５５】
マルチフェムト展開へのアクティブハンドインに関連するこれらおよび他の問題、ならびに同様のアクティブハンドイン問題を克服するために、以下で説明する新しい方法および装置は、既存および将来のワイヤレス通信プロトコルを用いて使用するように適応され得る。そのような方法および装置は、必ずしも限定されないが、上記で要約した問題を低減するかまたはなくすことを含む、技術的効果を提供すべきである。
【００５６】
［例示的な方法および装置］
ここに図示および説明した例示的なシステムに鑑みて、開示する主題に従って実装され得る方法は、様々なフローチャートを参照すればより良く諒解されよう。説明を簡単にするために、方法は一連の行為／ブロックとして図示および説明されるが、いくつかのブロックは、ここに図示および説明する順序とは異なる順序で、ならびに／または他のブロックと実質的に同時に行われ(occur)得るので、クレームされた主題はブロックの数または順序によって限定されない。さらに、ここに説明する方法を実装するために、図示されたすべてのブロックが必要とされるとは限らない。ブロックに関連する機能は、ソフトウェア、ハードウェア、それらの組合せまたは任意の他の好適な手段（たとえば、デバイス、システム、プロセス、またはコンポーネント）によって実装され得ることを諒解されたい。さらに、本明細書の全体にわたって開示する方法は、そのような方法を様々なデバイスに移送および転送することを可能にする製造品の上に符号化された命令および／またはデータとして記憶されることが可能であることをさらに諒解されたい。方法は、代替的に、状態図など、一連の相互に関係する状態または事象(events)として表現され得ることを、当業者は理解し、諒解するであろう。
【００５７】
１つまたは複数の追加のアクセスポイントとのソフトハンドオーバをサポートすることが可能なアクセスポイントを使用して、アクセスポイントのグループへのアクティブハンドインを管理するための方法６００が図６に示される。アクセスポイントは、ここに説明する様々な形態のいずれかのフェムトセル基地局であり得るか、またはそのフェムトセル基地局を含み得る。アクセスポイントのグループは、マルチフェムト展開におけるフェムトセル基地局であり得るか、またはそれらのフェムトセル基地局を含み得る。簡潔のために、ここにおいて、フェムトセル基地局は、「フェムトセル」または「フェムト基地局」と呼ばれることがあり得る。同様に、マクロセル基地局は、「マクロセル」または「マクロ基地局」と呼ばれることがあり得る。
【００５８】
一態様では、方法６００は、マクロセルからフェムトセルのグループへのアクティブハンドインを提供するために使用され得、ここにおいてフェムトセル間のソフトハンドオフ（ＳＨＯ）は、フェムトセルのグループへのハードハンドオフとともに可能にされる。特徴として、マクロセルから１つのフェムトセルへのハンドオフは、基地局のうちの１つのみ、すなわちマクロセルまたはフェムトセルのいずれかが任意の時点でモバイルエンティティをサーブするという点で、ハードハンドオフである。ハードハンドオフより前には、マクロ基地局がモバイルエンティティをサーブするが、ハードハンドオフの後には、フェムトセルがモバイルエンティティをサーブする。準最適フェムトセルがハンドインのために選ばれるか、または所望のフェムトセルの順方向リンクチャネル品質が不十分である場合、ハンドオフ後のボイス呼品質が悪化し(suffer)得る。これらの問題は、同じマルチフェムトネットワーク内にある複数のフェムトセルへのハンドインを開始することによって解決され得る。これらのフェムトセルは、一般に、それら自体の間でのソフトハンドオフをサポートする。結果として、アクティブハンドインを開始するより前に、ここに説明する新規の動作を実装することによって、フェムトセルのグループへのハードハンドオフの直後に同時にユーザをサーブすることができる複数のフェムトセルを用いてハンドインが開始され得る。フェムトセル間のソフトハンドオフを用いたそのようなハンドインは、ＲＬ感知がハンドインのための最良のターゲットフェムトセルを識別することが可能でない場合でも、ダイバーシティ利得を提供し、ハンドイン成功率を改善し得る。したがって、ＳＨＯを用いたハンドインは、ＲＬ感知およびターゲットフェムトセル選択の不正確さから結果として生じる問題を克服し得る。
【００５９】
マクロ基地局ネットワークからフェムトセルネットワークへのアクティブハンドインを可能にするための方法６００は、６０２において、フェムトセルネットワークの第１のフェムトセルを使用して、マクロ基地局からフェムトセルネットワークへのモバイルエンティティのアクティブハンドインをサービスすることを含み得る。第１のフェムトセルは、マクロセルネットワークとフェムトセルネットワークとを含む、ワイヤレス通信システムのネットワークエンティティによって選択された初期ターゲットフェムトセルであり得る。マルチフェムト展開は、フェムトセルネットワークの一例として理解され得る。アクティブハンドインのサービスは、アクティブハンドインをサポートするためにターゲットフェムトセルによって実行される従来の動作および場合によっては(optionally)ここに開示する新規の動作を含み得る。マルチフェムト展開へのアクティブハンドインをサービスするための、従来の動作と新規の動作の両方の様々な例が以下に提供される。方法６００は、６０４において、アクティブハンドインのために、マクロ基地局からのモバイルエンティティのハードハンドオフとともに、フェムトセルネットワーク中の第１のフェムトセルと１つまたは複数の隣接フェムトセルとの間でのモバイルエンティティのソフトハンドオフを可能にすることをさらに含み得る。本方法の一態様では、ハンドイン後にサーブされる第１のデータビットからモバイルエンティティのためにソフトハンドオフサービスが可能にされるように、ハードハンドオフの完了より前に、ハードハンドオフの完了と同時に、またはハードハンドオフの完了の直後にソフトハンドオフが可能にされ得る。この結果を可能にするために、ハンドインを受信するマルチフェムトネットワークは、フェムトセル間のソフトハンドオフをサポートすることが可能であるべきである。
【００６０】
ハードハンドオフとともにソフトハンドオフを可能にすることは、アクティブハンドインのサービス中にいくつかの新規の動作を実行することによって提供され得る。たとえば、上記可能にすることは、以下でより詳細に説明するように、アクティブハンドインより前に、モバイルエンティティのハンドインのためのトラフィックチャネルリソースを、フェムトセルネットワークの複数のフェムトセルにおいて割り振らせることを含み得る。上記可能にすることは、ハードハンドオフより前に、複数のフェムトセルのためのトラフィックチャネルリソースを識別する情報をモバイルエンティティに提供することをさらに含み得る。ハードハンドオフとともにソフトハンドオフを可能にするための新規の動作のさらなるまたはより詳細な例が以下に提供される。
【００６１】
方法６００とともに使用するためのアクティブハンドインプロシージャにおける従来の動作を含む、アクティブハンドインプロシージャのための他の動作に関して実装され得る、方法６００のより詳細な例が以下に提供される。フェムトセル間で可能にされるＳＨＯを用いたハンドインを実行するための特定のプロシージャの例は、すぐ下に列挙されるステップを含むものとして説明され得る。方法６００は、限定ではなく、例として提供される特定の列挙されたステップでの使用に限定されないことを諒解されたい。
【００６２】
１）  移動局（ＭＳ）は、あるチャネル品質しきい値を上回るフェムトセル（またはビーコン）パイロットを検出し、マクロＢＳへのＰＳＭＭ（または等価のメッセージ）を使用して、このパイロットのＰＮオフセットコードおよびパイロット強度を報告し得る。
【００６３】
２）  ＭＳによって報告されたフェムトセルの検出されたパイロット強度が定義されたハンドオフ基準を超える場合、マクロＢＳはアクティブハンドインをトリガ（開始）し得る。たとえば、フェムトセルパイロット強度がマクロセルパイロット強度よりも定義されたヒステリシスマージンだけ大きい場合、アクティブハンドインがトリガされ得る。マクロＢＳは、報告されたパイロットＰＮオフセットによって識別される、識別されたターゲットフェムトセルを用いたハンドインを実行するように、モバイル交換センター（ＭＳＣ）または他のネットワークエンティティに要求し得る。
【００６４】
３）  ＭＳＣまたは他のネットワークエンティティは、ハンドオフ要求をフェムトコンバージェンスサーバ（ＦＣＳ）または他のネットワークエンティティに転送し(forward)得る。ハンドオフ要求は、フェムトセルＰＮオフセットコード、モバイル識別子（たとえば、ロングコードマスク（ＬＣＭ））、および他の情報などの、他の情報を含み得る。
【００６５】
４）  ＦＳＣまたは他のネットワークエンティティは、ＲＬ感知を実行するように、すなわち、それの一意のシグナチャ（たとえば、ロングコードマスク）に基づいてこの特定のモバイルのＲＬパイロットエネルギーを測定するように、報告されたＰＮオフセットに関連するフェムトセルに要求し得る。これらのフェムトセルからの複数のＲＬ感知報告を受信した後に、ＦＳＣは、最も強いＲＬパイロット受信強度を報告するフェムトセルを選択し得る。ＦＣＳはまた、この判断を行う際の追加の基準またはメトリック、たとえば、フェムトセルのＦＬ送信電力、このフェムトセルへの履歴ハンドイン成功率、および他の基準を含み得る。
【００６６】
５）  最適ターゲットフェムトセルを選択した後に、ＦＣＳは、最適ターゲットフェムトセルへのＭＳのアクティブハンドインを開始するために、トラフィックチャネルリソース（たとえば、ウォルシュコード）をこのモバイルに割り当てるようにこのフェムトセルに要求し得る。
【００６７】
６）  トラフィックチャネルリソース要求を受信したことに応答して、ターゲットフェムトセルは、ＭＳのハンドインのためのトラフィックチャネルリソースを同様に割り当てるようにそれの隣接フェムトセルのいくつかに要求し得る。隣接フェムトセルは、それらのそれぞれのパイロットＰＮオフセットに関連するトラフィックチャネルリソース割当て識別子（たとえば、ウォルシュコード）をターゲットフェムトセルに提供し得る。ターゲットフェムトセルは、以下の図８に関してより詳細に説明する追加の動作８００を使用して隣接フェムトセルを選択し得る。
【００６８】
７）  ターゲットフェムトセルは、標準またはプロプライエタリシグナリングメッセージ(proprietary signaling messages)によって、それ自体および隣接フェムトセルのための、トラフィックチャネルリソース割当て識別子（たとえば、ウォルシュコード）とパイロットＰＮオフセットとを、ＦＣＳに転送し得る。たとえば、ターゲットフェムトセルは、ＣＤＭＡ２０００  １ｘＲＴＴによって指定されたハンドオフ要求肯定応答メッセージを使用し得る。ターゲットフェムトセルの代わりに、何らかの他のネットワークエンティティも、ターゲットフェムトセルの助けを借りて、または単独でも、ステップ６および７における機能を実行し得る。
【００６９】
８）  ＦＣＳは、ＭＳＣを介して、ターゲットフェムトセルから受信された情報をソースマクロ基地局に転送し得る。
【００７０】
９）  ソースマクロＢＳは、たとえば、ターゲットフェムトセルが見つけられ得るＦＬ周波数とともに、ハンドオフ指示メッセージ(handoff direction message)（ＨＤＭ）またはユニバーサルＨＤＭ（ＵＨＤＭ）を使用して、受信されたフェムトセルＰＮオフセットおよびトラフィックチャネル割当て情報をＭＳに送信し得る。ターゲットフェムトセルは、第１の最適ターゲットフェムトセルと、最適ターゲット（第１の）フェムトセルからの要求に応答して供給されるトラフィックチャネルリソース割当て識別子など、それのネイバーフェムトセルのすべてとを含み得る。
【００７１】
１０）  上記の情報を受信すると、モバイルエンティティは、フェムトセルから割り当てられたトラフィックチャネル上でトラフィックチャネルデータを復号するために、指定された周波数上でフェムトセルＰＮを探索し、従来の動作を実行し得る。したがって、最適ターゲットフェムトセルおよびそれのネイバーは、ワイヤレスネットワークの他のエンティティと協働して、ハンドインのときに複数のターゲットフェムトセル間で可能にされるソフトハンドオフを用いた、フェムトセルネットワークへのＭＳのアクティブハンドインを可能にし得る。アクティブハンドインについて上記で説明した問題は、それによって緩和され得、マルチフェムト展開へのアクティブハンドインはより確実におよび強力(robustly)に達成され得る。
【００７２】
図７〜図１０は、方法６００と併せて、または場合によっては、前記方法とは独立してアクセスポイントによって実行され得る、さらなる随意の動作あるいは態様７００、８００、９００または１０００を示す。図７〜図１０に示す動作は、方法６００を実行するために必要とされない。それらの動作は、独立して実行され、相互排他的でない。したがって、別のダウンストリームまたは独立したアップストリーム動作が実行されるかどうかにかかわらず、そのような動作のうちのいずれか１つが実行され得る。方法６００が図７〜図１０の少なくとも１つの動作を含む場合、方法６００は、必ずしも、図示され得るいかなる後続の（１つまたは複数の）ダウンストリーム動作をも含む必要なしに、少なくとも１つの動作の後に終了し得る。さらに、追加の動作９００または１０００などの追加の動作のいくつかの要素は、方法６００とは独立して、ならびにそれと併せて実装され得る。
【００７３】
図７を参照すると、方法６００は、追加の動作７００のうちの１つまたは複数を含み得る。一態様では、方法６００は、７０２において、第１のフェムトセルへのハードハンドオフを開始するために、トラフィックチャネルリソースをモバイルエンティティに割り当てるように第１のフェムトセルがネットワークエンティティから要求を受信することをさらに含み得る。第１のフェムトセルは、モバイルエンティティのためのアクティブハンドインプロシージャを開始するために、ネットワークエンティティからの要求に応答してその要求を生成し得る。方法６００は、７０４において、第１のフェムトセルが、その要求に応答して、１つまたは複数の隣接フェムトセルからトラフィックチャネルリソースの割当てを要求することをさらに含み得る。たとえば、第１のフェムトセルは、ソフトハンドオーバを開始するためのプロトコルから適応されたシグナリングプロトコルを使用して、選択された隣接フェムトセルに信号を送信し得る。
【００７４】
方法６００は、７０６において、その要求に返答して、第１のフェムトセルと１つまたは複数の隣接フェムトセルとの各々についての別個の識別子を含む第１の識別子と、第１のフェムトセルのトラフィックチャネルリソースと１つまたは複数の隣接フェムトセルから要求されたトラフィックチャネルリソースとの各々についての別個の識別子を含む第２の識別子とを送信することをさらに含み得る。たとえば、第１のフェムトセルは、説明した識別子を、アクティブハンドインプロシージャを開始するように要求するネットワークエンティティに送信し得る。一態様では、方法６００はまた、その要求を受信することに基づいて、モバイルエンティティのアクティブハンドインのために１つまたは複数の隣接フェムトセルを準備することを含み得る。そのような準備は、ハードハンドオフを完了するより前にターゲットフェムトセルとそれのネイバーとにおける識別されたトラフィックチャネルリソースを割り振ることと、アクティブハンドイン中にハードハンドオフとともにソフトハンドオーバを可能にすることとを含み得る。
【００７５】
上記のプロシージャの１つの重要な要素は、アクティブハンドイン中に、ソフトハンドオーバ動作中に含まれるべきであるネイバーフェムトセルを選択することを含み得る。ネイバーフェムトセルは、以下の方法のうちの１つ（または１つまたは複数の組合せ）でターゲットフェムトセルによって選択され得る。図８を参照すると、方法６００は、ネイバーフェムトセルを識別し、選択するための追加の動作８００のうちの１つまたは複数を含み得る。方法６００は、８０２において、第１のフェムトセルにおいてフェムトセルネットワークのフェムトセルからの信号に基づく選択プロシージャを使用して、フェムトセルの１つまたは複数の隣接フェムトセルを識別することをさらに含み得る。たとえば、ターゲットフェムトセルは、それらのネットワークリッスン（ＮＬ）機能を使用して他の隣接フェムトセルを検出し、ＳＨＯネイバーとして最も高い信号強度を有するフェムトセルを選択し得る。さらなる例では、ターゲットフェムトセルは、それのアクティブ移動局がアクティブハンドアウトを実行しようとしていないときでも、パイロット強度、ＰＮオフセット、または他のフェムトセルの同様のパラメータを報告するようにそれらに要求し得る。このようにして、ネットワーク中の各フェムトセルは、ネイバーパイロット強度、ＰＮオフセット、または他のデータに関する統計値を収集し、ＳＨＯネイバーセットを判断するために必要とされるときにこの情報を使用し得る。各フェムトセルは、それによって、ＳＨＯネイバーのリストまたはテーブルを維持し得る。
【００７６】
代替または追加として、本方法は、８０４において、別個のエンティティによって提供されるネイバーの定義されたセットを使用して、第１のフェムトセルの１つまたは複数の隣接フェムトセルを識別することを含み得る。たとえば、フェムトセルが企業において展開されるとき、技術者（たとえば、オペレータ技術者またはＩＴ技術者）は、各フェムトセルに、特定のフェムトセルのためのネイバーであるフェムトセルのためのパイロットＰＮオフセットを識別するデータを提供し得る。次いで、このフェムトセルは、これらの構成されたネイバーフェムトセルからトラフィックチャネルリソースを要求し得る。技術者は、単に展開トポロジー（たとえば、フェムトセル間の物理的近接度）に基づいて、またはどのフェムトセルがカバレージ境界を共有し、それらをＳＨＯネイバーとして選択するかを判断するためにＲＦカバレージテストを実行することによって、ＳＨＯネイバーを選択し得る。
【００７７】
一般に、アクティブハンドインとアクティブハンドアウト（フェムトセルからマクロセルへのハンドオフ）とは、同様のルートを通って起こる。たとえば、ユーザがある入口から建築物に入るときにハンドインが起こる可能性があり、同様に、ユーザがこの入口を通って建築物を出るときにハンドアウトが起こる。したがって、モバイルのアクティブハンドアウトより前に、フェムトセル（たとえば、フェムトセル「Ａ」）は、（たとえば、ＰＳＭＭを介して）他のフェムトセルパイロットＰＮオフセットを検出し、返報(report back)するようにモバイルに要求し得る。報告されたフェムトセルＰＮオフセットはまた、建築物に入るときにモバイルによって検出され、したがって、これらのＰＮオフセットは、この特定のフェムトセル「Ａ」のための最適ＳＨＯネイバーを識別する可能性がある。したがって、このフェムトセル「Ａ」は、アクティブハンドインプロセス中にＳＨＯネイバーを識別するような報告されたネイバーフェムトセルＰＮオフセットを選び得る。同様に、各フェムトセルは、時間とともに、たとえば、アクティブハンドアウトより前にいくつのパイロットＰＮオフセットが報告されたか、パイロット強度、特定のＰＮが報告された時間の割合などの長期統計値を収集し、この情報に基づいて予期されるＳＨＯネイバーを識別し得る。たとえば、フェムトセルは、ＳＨＯ動作のための（それらのパイロット強度の観点からいえば）一番上の２つまたは３つのネイバーを選択し得る。他よりも頻繁に検出されるフェムトセルは、他のフェムトセルよりもＳＨＯネイバーセットに含めるために好まれ得る。したがって、各フェムトセルのためのＳＨＯネイバーセットも、時間とともに改良または変更され得る。
【００７８】
図９は、方法６００中に含まれ得るか、または別個の方法として方法６００と独立して実行され得る追加の動作９００を示す。方法６００または別個の方法は、９０２において、共通の時間基準を使用してフェムトセルネットワークのフェムトセルの間でビーコンホッピングパターンを同期させることであって、それにより、フェムトセルが、同期をとった時間において共通の順方向リンク周波数上で周波数ホッピングビーコンを送信する、同期させることを含み得る。
【００７９】
フェムトセルは、アイドルならびにアクティブ移動局をフェムトセル周波数に引きつけるために、マクロ順方向リンク（ＦＬ）周波数上で周波数ホッピングビーコンを送信する。従来、異なるフェムトセルは異なる時間に電源投入され(powered up)、それらのビーコン送信は互いに同期され得ない。たとえば、ある時間「ｔ」において、フェムトセル「Ａ」が周波数「Ｆ１」上でビーコンを送信していることがある場合、別のフェムトセル「Ｂ」が別の周波数「Ｆ２」上でビーコンを送信していることがある。特にビーコンおよびフェムトセルＦＬカバレージ範囲が適切に一致しないとき、そのような非同期ビーコン送信はＲＬ感知性能に影響を及ぼし得る。たとえば、フェムトセル「Ａ」および「Ｂ」が異なるビーコンパイロットＰＮ（それぞれＰＮ＿ａおよびＰＮ＿ｂ）を有すると仮定する。時間「ｔ」において、周波数「Ｆ１」上の移動局が、パスロスに関してフェムトセル「Ｂ」により近接し得るとしても、その移動局は、フェムトセル「Ａ」のビーコンを検出し、それのサービングマクロ基地局に（ＰＮ＿ａをもつ）ＰＳＭＭを送り得る。時間「ｔ」において、フェムトセル「Ｂ」は周波数「Ｆ２」上でビーコンを送信しているので、フェムトセルＢのビーコンはまだ検出されないままであり得る。したがって、ＦＣＳは、ＰＮ＿ａに等しいビーコンＰＮをもつフェムトセルからＲＬ感知を要求だけして、したがって、最も近接したフェムトセル「Ｂ」は、最適ハンドインターゲットとして選択されない。
【００８０】
そのような問題は、同じマルチフェムトネットワークに属するフェムトセル間で、または潜在的にネットワーク全体におけるすべてのフェムトセル間でビーコン送信を同期させることによって回避され得る。ビーコン送信は、ビーコン送信を同期させるための共通の時間基準とともに、たとえば、運用、アドミニストレーションおよび管理（ＯＡＭ）シグナリングを通して、これらのフェムトセルに同じビーコン送信スケジュールを提供することによって同期され得る。従来、各フェムトセルのための異なるビーコン送信スケジュールは、ＯＡＭパラメータを通して構成される。マルチフェムトネットワークのフェムトセル間でビーコン送信を同期させるために、すべてのこれらのフェムトセルは、同じビーコンスケジュールで構成され得る。ビーコンスケジュールは、何らかの共通の時間基準（たとえば、ＣＤＭＡシステム時間、ページングチャネルスロットインデックス、ページングチャネルスロットサイクル境界など）に関してビーコンホッピングパターンを指定し得る。すなわち、ビーコンスケジュールは、各フェムトセルに、基準時間に関して時間ｔ１において周波数Ｘ上でホッピングするように、基準時間に関して時間ｔ２において周波数Ｙ上でホッピングするようになどと命令する。すべてのフェムトセルがこの共通の時間基準に従い、同一のビーコンスケジュールで構成される限り、同期をとったビーコン送信が達成され得る。
【００８１】
関係する態様では、方法６００または別個の方法は、９０４において、モバイルエンティティによって生成された周波数ホッピングビーコンの測定値に基づいて第１のフェムトセルを選択することをさらに含み得る。周波数ホッピングビーコンが同期されるので、準最適ターゲットフェムトセルを選択する確率(probability)が大幅に低減されるか、またはなくされ得る。しかしながら、この手法の１つの予想される(possible)欠点は、同期をとったビーコンが、モバイルエンティティにおいて互いに干渉し、不正確なパイロット強度測定またはヌル(null)パイロット強度測定値を生じることを含み得る。
【００８２】
図１０は、方法６００中に含まれるか、または逆方向リンク感知プロシージャにおいてネットワーク中のすべてのフェムトセルを含むことに基づく別個の方法として独立して実行され得る追加の動作１０００を示す。方法６００または独立した方法は、１００２において、モバイルエンティティからの逆方向リンク信号の信号強度を検出するようにフェムトセルネットワークのすべてのフェムトセルに要求することを含み得る。方法６００または独立した方法は、１００２において、ネットワーク中のすべてのフェムトセルによって提供される信号強度測定値に基づいて第１のフェムトセルを最適ターゲットとして選択することを含み得る。
【００８３】
図９に関して上記で説明した例では、時間「ｔ」において移動局に最も近接していたフェムトセル「Ｂ」は、それのＰＮがＰＳＭＭ中のモバイルによって報告されなかったので、ＲＬ感知プロシージャ中に含まれておらず、したがって、フェムトセル「Ｂ」は、ハンドインのためのターゲットフェムトセルとして識別され得なかった。これを回避するための１つの代替案は、ネットワーク中のすべてのフェムトセル間での感知を実行することを含み得る。たとえば、上記で要約したように、ＦＣＳは、ＲＬ感知を実行するようにすべてのフェムトセルに要求し、次いで、ターゲットフェムトセルを選択し得る。したがって、その継続する例に関して、フェムトセル「Ｂ」はまた、モバイルエンティティのＲＬ強度を測定させられ、フェムトセル「Ｂ」の測定報告は、モバイルエンティティへのそれのパスロス近接度による最も強いＲＬパイロット強度測定を含む。次いで、ＦＣＳは、ハンドインターゲットとしてフェムトセル「Ｂ」を選択し得、それによってハンドインが成功する。しかしながら、図１０に示した手法の１つの欠点は、各フェムトセルにおいてより多くのＲＬ測定値を処理することと、ＦＣＳまたは他のエンティティによって受信された、結果として(resulting)増加した報告の数を管理することとによる、オーバーヘッドの増加であり得る。
【００８４】
図１１を参照すると、ハードハンドオフに結合されたソフトハンドオフを有するアクティブハンドインを可能にするための、ワイヤレスネットワーク中のアクセスポイントとして、あるいはアクセスポイント内で使用するためのプロセッサまたは同様のデバイスとして構成され得る例示的な装置１１００が提供されている。装置１１００は、プロセッサ、ソフトウェア、またはそれらの組合せ（たとえば、ファームウェア）によって実装される機能を表すことができる機能ブロックを含み得る。
【００８５】
一実施形態では、装置１１００は、マクロ基地局から、複数のフェムトセルを含むフェムトセルネットワークへのモバイルエンティティのアクティブハンドインをサービスするための、電気的コンポーネントまたはモジュール１１０２を含み得る。たとえば、電気的コンポーネント１１０２は、トランシーバなどと、単独で、または１つまたは複数の他のネットワークエンティティと協働して、フェムトセルにおいてアクティブハンドインをサービスするための、上記で説明した従来および新規の動作を実行するための命令をもつメモリと、に結合された少なくとも１つの制御プロセッサを含み得る。電気的コンポーネント１１０２は、アクティブハンドインをサービスするための手段であり得るか、またはその手段を含み得る。前記手段は、アルゴリズムを動作させる少なくとも１つの制御プロセッサであり得るか、またはその制御プロセッサを含み得る。本アルゴリズムは、マクロ基地局からのアクティブハンドイン要求を受信し、その要求に適切に応答するように、およびハードハンドオフの後にモバイルエンティティをサービスするために、アプリケーションレイヤにおいて動作し得る。
【００８６】
装置１１００は、アクティブハンドインのために、マクロ基地局からのモバイルエンティティのハードハンドオフとともに、フェムトセルネットワーク中の第１のフェムトセルと１つまたは複数の隣接フェムトセルとの間でのモバイルエンティティのソフトハンドオフを可能にするための電気的コンポーネント１１０４を含み得る。たとえば、電気的コンポーネント１１０４は、ＳＨＯネイバーフェムトセルを選択し、アクティブハンドインより前に、リソースを割り振ることによってＳＨＯの準備をするようにそれらに命令するための命令を保持するメモリに結合された少なくとも１つの制御プロセッサを含み得る。電気的コンポーネント１１０４は、マクロ基地局からのモバイルエンティティのハードハンドオフとともに、フェムトセルネットワーク中の第１のフェムトセルと１つまたは複数の隣接フェムトセルとの間でのモバイルエンティティのソフトハンドオフを可能にするための手段であり得るか、またはその手段を含み得る。前記手段は、アルゴリズムを動作させる少なくとも１つの制御プロセッサであり得るか、またはその制御プロセッサを含み得る。本アルゴリズムは、ＳＨＯのためのトラフィックチャネルリソースの割振りがプロアクティブに生じるように、アプリケーションおよび／または制御レイヤにおいて動作し得る。本アルゴリズムは、たとえば、ネイバーフェムトセルのための所定の識別子を含む測定値または記憶されたデータ、あるいは上記の選択方法の組合せを使用して、ネイバーフェムトセルを選択するようにさらに動作し得る。本アルゴリズムは、トラフィックチャネルリソースを、アクティブハンドインを受けようとしているモバイルエンティティに割り振るようにフェムトセルネイバーに命令するようにさらに動作し得る。本アルゴリズムは、フェムトセルネイバーのための識別子を、可能にされたＳＨＯを用いたモバイルエンティティのためのアクティブハンドインにおいて使用するネットワークエンティティに送信するようにさらに動作し得る。
【００８７】
装置１１００は、説明を簡単にするために図１１に示していない、図７〜図１０に関連して説明した追加の動作７００、８００、９００、または１０００のいずれかあるいはすべてを実行するための同様の電気的コンポーネントを含み得る。
【００８８】
関係する態様では、アクセスポイントとして構成された装置１１００の場合、装置１１００は、少なくとも１つのプロセッサを有するプロセッサコンポーネント１１１０を随意に含み得る。プロセッサ１１１０は、そのような場合、バス１１１２または同様の通信結合を介してコンポーネント１１０２〜１１０４または同様のコンポーネントと適切に作用して通信し得る。プロセッサ１１１０は、電気的コンポーネント１１０２〜１１０４によって実行されるプロセスまたは機能の開始とスケジューリングとを果たし得る。プロセッサ１１１０は、全体的にまたは部分的に、コンポーネント１１０２〜１１０４を包含し得る。代替として、プロセッサ１１１０は、１つまたは複数の別個のプロセッサを含み得るコンポーネント１１０２〜１１０４とは別個であり得る。
【００８９】
さらなる関係する態様では、装置１１００は、無線トランシーバコンポーネント１１１４を含み得る。トランシーバ１１１４の代わりにまたはトランシーバ１１１４とともに、スタンドアロン受信機および／またはスタンドアロン送信機が使用され得る。代替または追加として、装置１１００は、異なるキャリア上で送信および受信するために使用され得る、複数のトランシーバまたは送信機／受信機ペアを含み得る。装置１１００はまた、ネットワーク中の他のフェムトセルと、バックホールを介して接続されたネットワークエンティティと通信するためのバックホールインターフェース１１１８を含み得るか、またはバックホールインターフェース１１１８に結合され得る。装置１１００は、たとえば、メモリデバイス／コンポーネント１１１６など、情報を記憶するためのコンポーネントを含み得る。コンピュータ可読媒体またはメモリコンポーネント１１１６は、バス１１１２などを介して装置１１００の他のコンポーネントに適切に作用して結合され得る。メモリコンポーネント１１１６は、コンポーネント１１０２〜１１０４、およびそれらのサブコンポーネント、またはプロセッサ１１１０、または追加の態様７００、８００、９００、または１０００、またはここに開示する方法のアクティビティを実行するための、コンピュータ可読命令およびデータを記憶するように適応され得る。メモリコンポーネント１１１６は、コンポーネント１１０２〜１１０４に関連する機能を実行するための命令を保持し得る。メモリ１１１６の外部にあるものとして示されているが、コンポーネント１１０２〜１１０４はメモリ１１１６の内部に存在することができることを理解されたい。
【００９０】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁場または磁性粒子、光場(optical fields)または光学粒子、あるいはそれらの任意の組合せによって表され得る。
【００９１】
さらに、ここにおける開示に関連して説明した様々な実例となる論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な実例となるコンポーネント、ブロック、モジュール、回路、およびステップが、上記では概してそれらの機能に関して説明された。そのような機能がハードウェアとして実装されるか、ソフトウェアとして実装されるかは、特定のアプリケーションおよび全体的なシステムに課された設計制約に依存する。当業者は、説明した機能を特定のアプリケーションごとに様々な方法で実装し得るが、そのような実装の決定は、本開示の範囲からの逸脱(departure)を生じるものと解釈すべきではない。
【００９２】
ここにおける開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェアコンポーネント、あるいはここに説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械(state machine)であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００９３】
ここにおける開示に関して説明した方法またはアルゴリズムのステップは、直接ハードウェアで、プロセッサによって実行されるソフトウェアモジュールで、またはその２つの組合せで、具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に存在し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末内に存在し得る。代替として、プロセッサおよび記憶媒体は、ユーザ端末中に個別コンポーネントとして存在し得る。
【００９４】
１つまたは複数の例示的な設計では、説明した機能は、ハードウェア、ソフトウェア、ファームウェア、またはそれらの任意の組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の非一時的有形媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態をとって所望のプログラムコード手段を搬送または記憶するために使用され得、汎用もしくは専用コンピュータ、または汎用もしくは専用プロセッサによってアクセスされ得る、任意の他の媒体を備えることができる。ここに使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、この場合、ディスク（disk）は、通常、データを磁気的に再生し(reproduce)、ディスク（disc）はデータをレーザで光学的に再生する(reproduce)。上記の組合せもコンピュータ可読媒体の範囲内に含めるべきである。
【００９５】
本開示についての先の説明は、いかなる当業者も本開示を作成または使用することができるように提供される。本開示への様々な修正は当業者には容易に明らかとなり、ここに説明した新規の態様は、本開示の趣旨(spirit)または範囲から逸脱することなく他の変形形態に適用され得る。したがって、本開示は、ここに説明した例および設計に限定されるように意図されるものではなく、ここに開示した原理および新規の特徴に合致する最も広い範囲を与えられるべきである。
【図１】
2013542673.tif 000003
【図２】
2013542673.tif 000004
【図３】
2013542673.tif 000005
【図４】
2013542673.tif 000006
【図５】
2013542673.tif 000007
【図６】
2013542673.tif 000008
【図７】
2013542673.tif 000009
【図８】
2013542673.tif 000010
【図９】
2013542673.tif 000011
【図１０】
2013542673.tif 000012
【図１１】
2013542673.tif 000013
【国際調査報告】
2013542673.tif 000014
2013542673.tif 000015